(57)【要約】      （修正有）【課題】家具部品に迅速に接続することができる上、繰り返して使用しても同様の固定効果を得ることができる接続アタッチメントを提供する。【解決手段】接続アタッチメント１０は、カム面３２を有する本体１２と、挿入アセンブリ１４を備える。挿入アセンブリ１４は、挿入部材１６と少なくとも１つの拡開部材１８と栓２０を有する。拡開部材１８は、本体１２と挿入部材１６の頭部３６との間に装着され、複数の切欠き５０を含む拡開部４４と、リップ部とにより押圧空間が画定される。【選択図】図１
0003154721.tif 000002
【実用新案登録請求の範囲】
【請求項１】
カム面を有する本体と、挿入アセンブリと、を備える接続アタッチメントであって、
前記挿入アセンブリは、
頭部と、前記頭部から延伸され、前記本体に枢着されたボディ部と、を有する挿入部材と、
前記本体と、前記挿入部材の前記頭部との間に装着された少なくとも１つの拡開部材であって、拡開部と、前記拡開部から延伸されたリップ部と、を含み、前記拡開部と前記リップ部とにより押圧空間が画定され、前記拡開部が複数の切欠きを含み、複数の噛合凸体を形成する前記少なくとも１つの拡開部材と、
前記挿入部材のボディ部に装着され、前記拡開部材と前記本体との間に設けられた栓と、を有することを特徴とする、接続アタッチメント。
【請求項２】
前記本体は、間隔をおいて配置された１組の耳部と、前記１組の耳部により画定されたスリットと、前記１組の耳部に穿設された枢着孔と、を有し、
前記１組の耳部のそれぞれは、第１の面部および第２の面部を有し、
前記本体のカム面は、前記第１の面部と前記第２の面部との間に設けられることを特徴とする、請求項１に記載の接続アタッチメント。
【請求項３】
前記本体は、接続部を含むことを特徴とする、請求項１に記載の接続アタッチメント。
【請求項４】
前記本体は、揺動部を含むことを特徴とする、請求項１に記載の接続アタッチメント。
【請求項５】
前記本体は、接続部と、間隔をおいて配置された１組の耳部と、前記１組の耳部に対向した中間ベースと、を有し、前記中間ベースと前記１組の耳部とによりそれぞれスリットが画定され、前記挿入アセンブリは、前記スリットのそれぞれへ枢着されることを特徴とする、請求項１に記載の接続アタッチメント。
【請求項６】
本体および挿入アセンブリを備える接続アタッチメントであって、
前記本体は、間隔をおいて配置された１組の耳部と、前記１組の耳部により画定されたスリットと、前記１組の耳部に穿設された枢着孔と、を有し、前記１組の耳部のそれぞれは第１の面部および第２の面部を有し、前記枢着孔の中心から前記第１の面部までの距離が、前記枢着孔の中心から前記第２の面部までの距離に等しく、
前記挿入アセンブリは、
頭部と、前記頭部から延伸され、前記本体に枢着されたボディ部と、を有する挿入部材と、
前記本体と、前記挿入部材の前記頭部との間に装着された少なくとも１つの拡開部材であって、拡開部と、前記拡開部から延伸して突設されたリップ部と、を含み、前記拡開部と前記リップ部とにより押圧空間を画定し、前記拡開部が複数の切欠きを含み、複数の噛合凸体を形成する前記少なくとも１つの拡開部材と、
前記挿入部材のボディ部に装着し、前記拡開部材と前記本体との間に設けられた栓と、を有することを特徴とする、接続アタッチメント。
【請求項７】
前記本体は、前記第１の面部と前記第２の面部との間に設けられたカム面を含むことを特徴とする、請求項６に記載の接続アタッチメント。
【請求項８】
前記本体は、接続部を含むことを特徴とする、請求項６に記載の接続アタッチメント。
【請求項９】
前記本体は、揺動部を含むことを特徴とする、請求項６に記載の接続アタッチメント。
【請求項１０】
前記本体は、接続部と、間隔をおいて配置された１組の耳部と、前記１組の耳部に対向した中間ベースと、を有し、
前記中間ベースと前記耳部とによりスリットが画定され、
前記挿入アセンブリは、前記スリットのそれぞれへ枢着されることを特徴とする、請求項６に記載の接続アタッチメント。
【考案の詳細な説明】
【技術分野】
【０００１】
本考案は接続アタッチメントに関し、特に、家具部品を接続させるために繰り返して使用することが可能な接続アタッチメントに関する。
【背景技術】
【０００２】
従来、家具部品を接続させるために用いる接続アタッチメントは、特許文献１などで開示されている。特許文献１では、家具部品のホール（ｈｏｌｅ）２２に挿入することができる少なくとも１つのダボ（ｄｏｗｅｌ）６と、ダボ６の内部に設けられ、拡開面を有し、ダボ６に対して軸向きで変位し、ホール２２の弛緩位置と膨張位置との間にダボ６を挿入させることができる拡開部材１０と、他の家具部品に接続され、軸を介して拡開部材１０の端部に接続されて可動自在に枢着され、ダボ６の表面に近設されたカム面（ｃａｍ  ｓｕｒｆａｃｅ）９を有する保持部材（ｈｏｌｄｉｎｇ  ｍｅｍｂｅｒ）８と、を含む。保持部材８が可動可能に枢着されているため、ダボ６の表面にカム面９を当接して保持部材８により拡開部材１０を軸向きで変位させ、前述の拡開面でダボ６を押し広げることにより、ホール２２の中に固定させることができる。
【０００３】
前述のダボ６の表面には複数のカムが環設され、保持部材８が回転すると、拡開部材１０の拡開面によりダボ６が押し広げられる。そして、ダボ６に環設された複数のカムを家具部品のホール内壁へ噛み合わせた状態から、保持部材８がリリースされると、拡開部材１０の弛緩により家具部品のホールからダボ６が外される。その後、前述の家具部品の同じホールの内部へ、ダボ６を再び挿入して固定した場合、ホールの内壁に対応するようにダボ６に環設されたカムは、前回と同じホール内壁にある歯跡である凹部へ嵌められて噛み合わされる。そのため、家具部品を接続させるために用いる従来の接続アタッチメント技術は、何度も繰り返して使用すると、家具部品を接続するための噛み合わせ力が低下し、固定効果が低下する虞があった。
【先行技術文献】
【特許文献】
【０００４】
【特許文献１】アメリカ合衆国特許第５６１１６３７号公報
【考案の概要】
【考案が解決しようとする課題】
【０００５】
本考案の目的は、家具部品に迅速に接続することができる上、繰り返して使用しても同様の固定効果を得ることができる接続アタッチメントを提供することにある。
【課題を解決するための手段】
【０００６】
上記課題を解決するために、本考案の第１の形態によれば、カム面を有する本体と、挿入アセンブリと、を備える接続アタッチメントであって、前記挿入アセンブリは、頭部と、前記頭部から延伸され、前記本体に枢着されたボディ部と、を有する挿入部材と、前記本体と、前記挿入部材の前記頭部との間に装着された少なくとも１つの拡開部材であって、拡開部と、前記拡開部から延伸されたリップ部と、を含み、前記拡開部と前記リップ部とにより押圧空間が画定され、前記拡開部が複数の切欠きを含み、複数の噛合凸体を形成する前記少なくとも１つの拡開部材と、前記挿入部材のボディ部に装着され、前記拡開部材と前記本体との間に設けられた栓と、を有することを特徴とする、接続アタッチメントが提供される。
【０００７】
前記本体は、間隔をおいて配置された１組の耳部と、前記１組の耳部により画定されたスリットと、前記１組の耳部に穿設された枢着孔と、を有し、前記１組の耳部のそれぞれは、第１の面部および第２の面部を有し、前記本体のカム面は、前記第１の面部と前記第２の面部との間に設けられることが好ましい。
【０００８】
前記本体は、接続部を含むことが好ましい。
【０００９】
前記本体は、揺動部を含むことが好ましい。
【００１０】
前記本体は、接続部と、間隔をおいて配置された１組の耳部と、前記１組の耳部に対向した中間ベースと、を有し、前記中間ベースと前記１組の耳部とによりそれぞれスリットが画定され、前記挿入アセンブリは、前記スリットのそれぞれへ枢着されることが好ましい。
【００１１】
本考案の第２の形態によれば、本体および挿入アセンブリを備える接続アタッチメントであって、前記本体は、間隔をおいて配置された１組の耳部と、前記１組の耳部により画定されたスリットと、前記１組の耳部に穿設された枢着孔と、を有し、前記１組の耳部のそれぞれは第１の面部および第２の面部を有し、前記枢着孔の中心から前記第１の面部までの距離が、前記枢着孔の中心から前記第２の面部までの距離に等しく、前記挿入アセンブリは、頭部と、前記頭部から延伸され、前記本体に枢着されたボディ部と、を有する挿入部材と、前記本体と、前記挿入部材の前記頭部との間に装着された少なくとも１つの拡開部材であって、拡開部と、前記拡開部から延伸して突設されたリップ部と、を含み、前記拡開部と前記リップ部とにより押圧空間を画定し、前記拡開部が複数の切欠きを含み、複数の噛合凸体を形成する前記少なくとも１つの拡開部材と、前記挿入部材のボディ部に装着し、前記拡開部材と前記本体との間に設けられた栓と、を有することを特徴とする、接続アタッチメントが提供される。
【００１２】
前記本体は、前記第１の面部と前記第２の面部との間に設けられたカム面を含むことが好ましい。
【００１３】
前記本体は、接続部を含むことが好ましい。
【００１４】
前記本体は、揺動部を含むことが好ましい。
【００１５】
前記本体は、接続部と、間隔をおいて配置された１組の耳部と、前記１組の耳部に対向した中間ベースと、を有し、前記中間ベースと前記耳部とによりスリットが画定され、前記挿入アセンブリは、前記スリットのそれぞれへ枢着されることが好ましい。
【考案の効果】
【００１６】
本考案の接続アタッチメントは、家具部品に迅速に接続することができる上、繰り返して使用しても同様の固定効果を得ることができる。
【図面の簡単な説明】
【００１７】
【図１】本考案の第１実施形態による接続アタッチメントを示す分解斜視図である。
【図２】本考案の第１実施形態による接続アタッチメントを示す断面斜視図である。
【図３】本考案の第１実施形態による接続アタッチメントと接続物とを組み合わせたときの状態を示す断面図である。
【図４】本考案の第１実施形態による接続アタッチメントを接続物に固着させたときの状態を示す断面図である。
【図５】本考案の第１実施形態による接続アタッチメントが拡開部材により接続物に固着させるときの状態を示す断面図である。
【図６】本考案の第２実施形態による接続アタッチメントを示す分解斜視図である。
【図７】本考案の第２実施形態による接続アタッチメントを示す断面図である。
【図８】本考案の第３実施形態による接続アタッチメントを示す分解斜視図である。
【図９】本考案の一実施形態による接続アタッチメントと管状接続物とを接続するときの状態を示す分解斜視図である。
【図１０】本考案の第４実施形態による接続アタッチメントを示す斜視図である。
【図１１】本考案の一実施形態による接続アタッチメントを引き出しアセンブリへ応用したときの状態を示す斜視図である。
【図１２】本考案の一実施形態による接続アタッチメントをヒンジとドアパネルとの間に応用したときの状態を示す斜視図である。
【考案を実施するための形態】
【００１８】
以下、本考案の実施形態について図に基づいて説明する。なお、これによって本考案が限定されるものではない。
【実施例１】
【００１９】
図１および図２を参照する。図１および図２に示すように、本考案の第１実施形態による接続アタッチメント１０は、本体１２と、本体１２に枢着された挿入アセンブリ１４と、を含む。挿入アセンブリ１４は、枢着部材１７を介して本体１２に枢着させるために用いる挿入部材１６と、１組の拡開部材１８と、本体１２と挿入部材１６との間に配置した栓２０と、を含む。
【００２０】
本体１２は、互いに離間された１組の耳部２２と、１組の耳部２２により画定されたスリット２４と、耳部２２に穿設された枢着孔２６と、を含む。各耳部２２は、第１の面部２８と、第１の面部２８に対して略垂直に延設された第２の面部３０と、を有する。枢着孔２６の中心から第１の面部２８までの距離Ｘ１と、枢着孔２６の中心から第２の面部３０までの距離Ｘ２とは等しくない。本体１２は、第１の面部２８と第２の面部３０との間に設けられたカム面３２を含むことが好ましい。本体１２は、ユーザが本体１２を制御するために用いたり、接続物と接続させるために用いたりする接続部３４を有する。
【００２１】
挿入部材１６は、頭部３６と、頭部３６から延伸されたボディ部３８と、を含む。ボディ部３８は、貫通孔４０を有する。本体１２の枢着孔２６と、挿入部材１６の貫通孔４０とに前述の枢着部材１７が貫設されると、挿入部材１６と本体１２とを互いに枢着させることができる。
【００２２】
各拡開部材１８は、挿入部材１６のボディ部３８へ可動可能に外嵌させるために用いる装着孔４２と、装着孔４２から径方向で外側へ向かって延伸された拡開部４４と、拡開部４４の外周の端縁から延伸されたリップ部４６と、を含む。拡開部４４とリップ部４６とは押圧空間４８を画定する。拡開部４４は、複数の噛合凸体５２を形成する切欠き５０を含む。本実施形態の拡開部材１８は、可撓性材料からなる。
【００２３】
栓２０は、挿入部材１６のボディ部３８に外嵌され、本体１２と拡開部材１８との間に位置する貫通孔５４を有する。
【００２４】
図３を参照する。図３は、本考案の第１実施形態による接続アタッチメント１０と接続物１００とを組み合わせたときの状態を示す断面図である。接続物１００は、装着孔１０２を含む。挿入部材１６は、本体１２に枢着され、１組の拡開部材１８および栓２０は、本体１２と挿入部材１６との間に装着され、挿入部材１６により拡開部材１８および栓２０が接続物１００の装着孔１０２に挿入される。本体１２のカム面３２は、栓２０に近接している。
【００２５】
図４を参照する。図４は、本考案の第１実施形態による接続アタッチメント１０を接続物１００に固着させるときの状態を示す断面図である。本体１２の接続部３４が回転されると、本体１２のカム面３２が栓２０に当接されて挿入部材１６が牽引され、挿入部材１６の頭部３６により、栓２０の方へ拡開部材１８が押されると、拡開部材１８により押された噛合凸体５２が外側へ拡開し、接続物１００の装着孔１０２の内壁に一部が噛み合わされて固定されたり、装着孔１０２の内壁に噛合凸体５２が当接されたりする。
【００２６】
図５を参照する。図５は、本実施形態の拡開部材１８により、接続物１００の装着孔１０２に接続アタッチメント１０を固着させたときの状態を示す断面図である。各拡開部材１８は、装着孔４２、拡開部４４およびリップ部４６を含む。拡開部４４とリップ部４６とにより押圧空間４８が画定され、拡開部４４が有する複数の切欠き５０により、複数の噛合凸体５２が形成される。そのため、本実施形態の接続アタッチメント１０は、拡開部材１８を利用し、接続物１００の装着孔１０２の内壁へ噛合凸体５２の一部を噛み合わせて固定したり、装着孔１０２の内壁に噛合凸体５２を当接させたりしてもよい。
【実施例２】
【００２７】
図６および図７を参照する。図６および図７に示すように、本考案の第２実施形態による接続アタッチメント２００は、本体２０２および１組の挿入アセンブリ１４を含む。本体２０２は、接続部２０４と、間隔をおいて配置された１組の耳部２０６と、耳部２０６に対向するように本体２０２と一体成形された中間ベース２０８と、中間ベース２０８と耳部２０６とにより画定されたスリット２１０と、１組の耳部２０６および中間ベース２０８に穿設された枢着孔２１２と、を含む。１組の挿入アセンブリ１４は、枢着部材２１４により本体２０２のスリット２１０にそれぞれ枢着され、複数の挿入アセンブリ１４を有する接続アタッチメントが構成される。
【実施例３】
【００２８】
図８を参照する。図８に示すように、本考案の第３実施形態による接続アタッチメントは、本体３０２と、本体３０２と分離された中間ベース３０４と、を含む２つの分離部分が付加されている点が第２実施形態と異なる。
【００２９】
図９を参照する。図９に示すように、本考案の一実施形態による接続アタッチメント１０と接続物５６とを接続したときの状態を示す斜視図である。接続アタッチメント１０の本体１２の接続部には、螺旋接続部５８が設けられる。接続物５６は、本体１２の接続部５８に固着させることができるように螺旋孔を有する結合部６０を含む。さらに、本体１２と管状接続物５６との接続箇所に設けたスリーブ６１は、本体１２が管状接続物５６の軸方向になるように回転させると、栓２０に外嵌させることができる（図１１に示す）。
【実施例４】
【００３０】
図１０を参照する。図１０に示すように、本考案の第４実施形態による接続アタッチメント４００は、本体４０２を含む。本体４０２は、接続部４０４と、本体４０２へ互いに対向するように枢着された１組の挿入アセンブリ１４と、を有する。接続部４０４は係合部４０６を有する。
【００３１】
図１１を参照する。図１１に示すように、本考案の一実施形態による接続アタッチメントは、引き出しアセンブリ６２などの２つの接続物を接続するために用いる。引き出しアセンブリ６２は、１組の引き出し側枠６４、引き出し底板６５、引き出しパネル６６および引き出し背枠６７を含み、基本的な引き出しの内部空間が構成されている。さらに、その空間の上方に装着された１組の接続物５６により、さらに高い置物空間が構成されている。ここで、１組の引き出し側枠６４と引き出しパネル６６との関係は、第１の接続物と第２の接続物との関係で表わされ、第４実施形態の接続アタッチメント４００により互いに接続させて固定させることができる。例えば、接続アタッチメント４００の１組の挿入アセンブリ１４と引き出しパネル６６とを接続させることができる。その後、接続アタッチメント４００の本体４０２の接続部４０４が回転される（即ち、挿入アセンブリ１４に対して本体４０２が回転される）ことにより、係合部４０６と引き出し側枠６４とを係合させ、接続アタッチメント４００により引き出し側枠６４と引き出しパネル６６とを接続させることができる。さらに、接続物５６と引き出しパネル６６との関係は、第１の接続物と第２の接続物との関係で表すことができ、図９に示すような接続アタッチメント１０を設置し（即ち、接続アタッチメント１０の本体１２の接続部に螺旋接続部５８を設ける。）、管状接続物５６は、本体１２の接続部５８に接続する結合部６０を有する。その後、引き出しパネル６６に穿設された所定の孔に接続アタッチメント１０の挿入アセンブリ１４を挿入し、管状接続物５６を引き出しパネル６６に対して所定の角度で回転させると、挿入アセンブリ１４の拡開部材１８の噛合凸体５２が外側に拡開し、引き出しパネル６６の孔の内壁に当接して位置決めを行い、接続物５６と引き出しパネル６６とが接続される。
【００３２】
図１２を参照する。図１２に示すように、本考案の一実施形態による接続アタッチメントは、２つの接続物（例えば、ヒンジ６８とドアパネル７４）を接続させるために用いる。これらヒンジ６８とドアパネル７４との関係は、第１の接続物と第２の接続物との関係で表すことができる。ヒンジ６８は、１組の貫通孔７０を含む。１組の挿入アセンブリ１４は、ヒンジ６８の１組の貫通孔７０に貫設され、枢着部材１７により本体１２に枢着される。本体１２の接続部には、揺動部７２が設けられている。実際には、ドアパネル７４に予め設けた２つの挿入口７６に、１組の挿入アセンブリ１４を挿入してから、本体１２の揺動部７２を回転させることにより、ドアパネル７４の挿入口７６に挿入アセンブリ１４の拡開部材１８を噛み合わせて位置決めを行う。
【００３３】
上述したように、本考案の接続アタッチメントは、接続物の孔の中に挿入アセンブリを挿入してから回転させると、本体の押圧力により拡開部材の噛合凸体が外側へ拡開し、接続物の孔の内壁と噛み合ったり、孔の内壁に当接したりして固定される。接続物の孔から挿入アセンブリを取り外す場合は、本体を反対方向へ回転させるだけで、拡開部材が本体からの押圧力が無くなり、拡開部材の噛合凸体が孔の内壁から離れる。そのため、本考案の接続アタッチメントは、簡便に着脱を行うことができる。
【００３４】
また、本考案の接続アタッチメントは、挿入部材と本体との間に拡開部材が可動可能に外嵌されているため、同一の接続物の孔への着脱を繰り返して行った場合でも、拡開部材が挿入部材に対して自在に回転し、噛合凸体の径方向の角度を変えることができるため、拡開部材の噛合凸体を接続物の孔の内壁の異なる位置に当接させることができる。そのため、同様の固定効果を得ることができる。さらに、挿入部材と本体との間に外嵌させる拡開部材の数を増やすことにより、接続アタッチメントの固定効果を高めることもできる。
【００３５】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３６】
１０  接続アタッチメント
１２  本体
１４  挿入アセンブリ
１６  挿入部材
１７  枢着部材
１８  拡開部材
２０  栓
２２  耳部
２４  スリット
２６  枢着孔
２８  第１の面部
３０  第２の面部
３２  カム面
３４  接続部
３６  頭部
３８  ボディ部
４０  貫通孔
４２  装着孔
４４  拡開部
４６  リップ部
４８  押圧空間
５０  切欠き
５２  噛合凸体
５４  貫通孔
５６  接続物
５８  接続部
６０  結合部
６１  スリーブ
６２  引き出しアセンブリ
６４  引き出し側枠
６５  引き出し底板
６６  引き出しパネル
６７  引き出し背枠
６８  ヒンジ
７０  貫通孔
７２  揺動部
７４  ドアパネル
７６  挿入口
１００  接続物
１０２  装着孔
２００  接続アタッチメント
２０２  本体
２０４  接続部
２０６  耳部       
２０８  中間ベース
２１０  スリット
２１２  枢着孔
２１４  枢着部材
３００  接続アタッチメント
３０２  本体
３０４  中間ベース
４００  接続アタッチメント
４０２  本体
４０４  接続部
４０６  係合部
【図１】
0003154721.tif 000003
【図２】
0003154721.tif 000004
【図３】
0003154721.tif 000005
【図４】
0003154721.tif 000006
【図５】
0003154721.tif 000007
【図６】
0003154721.tif 000008
【図７】
0003154721.tif 000009
【図８】
0003154721.tif 000010
【図９】
0003154721.tif 000011
【図１０】
0003154721.tif 000012
【図１１】
0003154721.tif 000013
【図１２】
0003154721.tif 000014